(57)【要約】      （修正有）【課題】ゴルフクラブに着脱式で設置して光の発光によってゴルフクラブのスイング軌道とスイングスピードとインパクト地点などを容易で確実に確認して分析することが可能なゴルフスイング分析器を提供する。【解決手段】本体１０と、本体に分離可能に結合する装着部２０と、複数の発光素子３０と、発光素子に電源を供給して点灯の可否を制御する制御回路が設置される発光基板と、重量体と、重量体に水平部側に力を加える弾性部材と、重量体の移動位置を感知してオン／オフ作動するリードスイッチと、リードスイッチの信号を前記発光基板に伝達するように回路が構成される加速感知基板と、基準発光素子と、制御回路が設置される基準発光基板と、水平部の下部一側にボタン形式で設置されて押した時に電気信号を基準発光基板に伝達して基準発光素子を点灯する作動ボタンとを有する。【選択図】図１
2020039843.tif 000002
【特許請求の範囲】
【請求項１】
水平部１２と垂直部１４で構成される「Ｔ」形状からなり内部に空いた空間が形成される本体１０と、
前記本体１０の垂直部１４に一体的に設置されてゴルフクラブのシャフト４と分離可能に結合される装着部２０と、
前記本体１０の水平部１２の両側に配置されて対で設置され、発光される光が外部に照射されるように設置される複数の発光素子３０と、
前記水平部１２内部の空いた空間に装着されて前記発光素子３０に電源を供給して点灯の可否を制御する制御回路が設置される発光基板４０と、
前記本体１０の垂直部１４の内部の空いた空間に垂直部１４の長さ方向に沿って移動可能に設置される重量体５０と、
前記本体１０の垂直部１４の内部の空いた空間に設置されて前記重量体５０に水平部１２側に力を加える弾性部材８０と、
前記垂直部１４の内部の空いた空間に設置されて前記重量体５０の移動位置を感知してオン／オフ作動するリードスイッチ６０と、
前記リードスイッチ６０が搭載されてリードスイッチ６０の信号を前記発光基板４０に伝達するように回路が構成される加速感知基板７０と、
前記垂直部１４の下部内側に配置されて発光される光が外部に照射されてゴルフクラブのシャフト４に装着部２０を結合する時の位置と方向を正確に捉えるための基準発光素子９０と、
前記基準発光素子９０に電源を供給して点灯の可否を制御する制御回路が設置される基準発光基板１００と、
前記水平部１２の下部一側にボタン形式で設置されて押した時電気信号を基準発光基板１００に伝達して基準発光素子９０を点灯する作動ボタン１１０と、を含むことを特徴とする、ゴルフスイング分析器。
【請求項２】
ゴルフクラブのヘッド６には一の字状の複数の中心線６ｈが形成されて、
前記垂直部１４の下部面に基準発光素子９０から発光される光が一の字状で透視されてヘッド６に形成された中心線６ｈと一致させるようにする透視板９１が一方向に延びて構成されることを特徴とする、請求項１に記載のゴルフスイング分析器。
【請求項３】
前記装着部２０は「Ｃ」形状からなり、内側に複数の突起部２５が形成される結合溝２４と、
前記結合溝２４の一側に形成される掛け溝２６と、
前記結合溝２４の他側に掛け溝２６に引き込まれて結合溝２４を加圧するセミ型蓋止２７が含まれることを特徴とする、請求項１に記載のゴルフスイング分析器。
【請求項４】
前記垂直部１４には弾性部材８０が重量体５０に加える弾性力を調節するための弾性調節部材１２０をさらに設置されて、
前記弾性調節部材１２０は、垂直部の下部に締結されて外側にねじ山が形成される調節ねじ１２２と、
前記調節ねじに形成されるねじ山と歯合されるねじ山が形成されて調節ねじの回転方向に応じて上下に移動して弾性部材８０と重量体５０との距離を短縮または延長させて重量体５０に作用する弾性力を調節する移動部材１２４と、
前記調節ねじ１２２の下側を収容すると共に垂直部１４の外部に露出して調節ねじ１２２を正、逆方向に回転させる調節ノブ１２６と、
前記移動部材１２４が移動する垂直部１４の方向に外部から透視可能な材質からなり、移動部材の位置を計れるように目盛り部（ｍ）が形成される透視部１２８と、
前記移動部材１２４の一側に付着して別途の色が表出される識別部１２９が含まれて構成されることを特徴とする、請求項１に記載のゴルフスイング分析器。
【請求項５】
前記水平部１２には、前記発光基板４０の制御回路と連結されて前記発光素子３０の明るさを調節するための照度調節スイッチ３８をさらに設置することを特徴とする、請求項１に記載のゴルフスイング分析器。
【発明の詳細な説明】
【技術分野】
【０００１】
本発明はゴルフスイング分析器に関し、より詳細にはゴルフクラブのスイング軌道及びスイングスピードとインパクト地点を容易に確認することが可能なゴルフスイング分析器に関する。
【背景技術】
【０００２】
ゴルフは、停止したボールをゴルフクラブ（ｃｌｕｂ）で打ち、所定のホール（ｈｏｌｅ）に入れる競技であって、その打数の多寡で勝負を競う競技である。ゴルフクラブは、ボールを打つ部位であるヘッド、手でつかむ部位であるグリップ、ヘッドとグリップを連結するシャフトとから構成される。ゴルフクラブを利用して停止したボールを打つ動作をスイング（ｓｗｉｎｇ）といい、スイングの軌道とスピード、ボールを打つ地点であるインパクト地点などが、ボールが飛んで行く方向と距離に大きい影響を及ぼす。
【０００３】
一般にゴルフスイングの動作は、アドレス−テークバック−トップスイング−ダウンスイング−インパクトフォロースルー−フィニッシュなどの段階で分けて説明して、全体的に連なる１つの動作で構成される。良いゴルファーになるためには、スイングの軌道とインパクト地点が常に正確で一定である必要があるが、これを身につくように練習する過程がかなり難しいだけでなく、良いスイング姿勢を持続的に維持するのも難しい。特に、自分のスイングで誤った部分を見つけて直す過程が必要であるが、そのためには自分のスイングを正確に分析して確認する必要がある。
【０００４】
韓国登録特許公報第１０−１４１５９４５号、第１０−０７８０６７６号、第１０−０７４９３８３号、第１０−１２６３２５６号、公開特許公報第１０−２０１２−００１８０９７号、第１０−２０１１−００１７２３１号、第１０−２００５−００９２８４６号、第１０−２００２−００９６０７６号等には、ゴルフスイングを分析するための様々な技術が公開されている。
【０００５】
従来、ゴルフスイング分析装置においては、特殊に製作されたゴルフクラブを用いたり、ユーザーが競技で使うゴルフクラブをそのままもってスイングしながらスイング軌道とインパクト地点等を正確で容易に分析するには足りない点がある。このような足りない点を補おうと本出願人は、韓国登録特許第１０−１７６２７９３号を開発してゴルフクラブに着脱式で設置して光の発光によってゴルフクラブのスイング軌道とインパクト地点等を容易で確実に確認して分析することが可能になりように提案して、本発明も前記本出願人の登録特許に対する改良を提示したものである。
【先行技術文献】
【特許文献】
【０００６】
【特許文献１】韓国登録特許公報第１０−１４１５９４５号
【特許文献２】韓国登録特許公報第１０−０７８０６７６号
【特許文献３】韓国登録特許公報第１０−０７４９３８３号
【特許文献４】韓国登録特許公報第１０−１２６３２５６号
【特許文献５】韓国公開特許公報第１０−２０１２−００１８０９７号
【特許文献６】韓国公開特許公報第１０−２０１１−００１７２３１号
【特許文献７】韓国公開特許公報第１０−２００５−００９２８４６号
【特許文献８】韓国公開特許公報第１０−２００２−００９６０７６号
【特許文献９】韓国登録特許第１０−１７６２７９３号
【発明の概要】
【発明が解決しようとする課題】
【０００７】
前記問題点を解消するために案出された本発明の目的は、ゴルフクラブに着脱式で設置して光の発光によってゴルフクラブのスイング軌道とスイングスピードとインパクト地点などを容易で確実に確認して分析することが可能なゴルフスイング分析器を提供することである。
【課題を解決するための手段】
【０００８】
前記目的は、本発明で提供される下記の構成によって達成される。
【０００９】
本発明によるゴルフスイング分析器は、水平部と垂直部で構成される「Ｔ」形状からなり内部に空いた空間が形成される本体と；前記本体の垂直部に一体的に設置されてゴルフクラブのシャフトと分離可能に結合する装着部と；前記本体の水平部の両側に配置されて対で設置され、発光される光が外部に照射されるように設置される複数の発光素子と；前記水平部の内部の空いた空間に装着されて前記発光素子に電源を供給して点灯の可否を制御する制御回路が設置される発光基板と；前記本体の垂直部の内部の空いた空間に垂直部の長さ方向に沿って移動可能に設置される重量体と；前記本体の垂直部の内部の空いた空間に設置されて前記重量体に水平部側に力を加える弾性部材と；前記垂直部の内部の空いた空間に設置されて前記重量体の移動位置を感知してオン／オフ作動するリードスイッチと；前記リードスイッチが搭載されてリードスイッチの信号を前記発光基板に伝達するように回路が構成される加速感知基板；前記垂直部の下部内側に配置されて発光される光が外部に照射されてゴルフクラブのシャフトに装着部を結合する時の位置と方向を正確に捉えるための基準発光素子と；前記基準発光素子に電源を供給して点灯の可否を制御する制御回路が設置される基準発光基板と；及び前記水平部の下部一側にボタン形式で設置されて押した時に電気信号を基準発光基板に伝達して基準発光素子を点灯する作動ボタンと；を含む。
【００１０】
さらに、ゴルフクラブのヘッドには一の字状の複数の中心線が形成されて、前記垂直部の下部面に基準発光素子から発光される光が一の字状で透視されてヘッドに形成された中心線と一致させるようにする透視板が一方向に延びて構成されることを特徴とする。
【発明の効果】
【００１１】
このように構成される本発明は、ユーザーがゴルフクラブをスイングするに伴い重量体が遠心力によって移動してリードスイッチを作動させて水平部の両側に配置されて設置された発光素子が発光するので、発光された光の軌道がスイング軌道を形成して容易にスイング軌道を確認して分析してゴルフスイング姿勢を矯正したりインパクト位置を正確で効果的に矯正できる効果がある。
【００１２】
さらに、作動ボタンによって作動する基準発光素子から発光される光が透視板を介してゴルフクラブのヘッドに形成された中心線に合わせて装着部をシャフトの所望の位置に装着させて使いやすくする効果がある。
【００１３】
弾性調節部材を用いて遠心力による重量体の移動を調節することができるので、ユーザー毎に自分の力とスピードに合わせて発光素子の発光時点を調整して個人別にカスタムで練習と訓練を実施することが可能で、識別部を介して弾性部材と重量体の距離をより正確に調節することができる効果がある。
【図面の簡単な説明】
【００１４】
【図１】図１は、本発明の好ましい形態を示した例示図である。
【図２】図２は、本発明の好ましい形態を示した例示図である。
【図３】図３は、本発明の好ましい形態を示した例示図である。
【図４】図４は、本発明の好ましい形態を示した例示図である。
【図５】図５は、本発明の好ましい形態を示した例示図である。
【図６】図６は、本発明の好ましい形態を示した例示図である。
【図７】図７は、本発明の好ましい形態を示した例示図である。
【図８】図８は、本発明の好ましい形態を示した例示図である。
【図９】図９は、本発明の一実施形態に係るゴルフスイング分析器を装着したゴルフクラブでスイングする時のスイング軌道を連続撮影写真のように示したイメージである。
【図１０】図１０は、本発明の一実施形態に係るゴルフスイング分析器を装着したゴルフクラブでスイングした場合、正常インパクト地点でボールの打撃が行われた場合を示したイメージである。
【図１１】図１１は、本発明の一実施形態に係るゴルフスイング分析器を装着したゴルフクラブでスイングした場合、正常インパクト地点を通る前にボールの打撃が行われた場合を示したイメージである。
【図１２】図１２は、本発明の一実施形態に係るゴルフスイング分析器を装着したゴルフクラブでスイングした場合、正常インパクト地点を通った後にボールの打撃が行われた場合を示したイメージである。
【発明を実施するための形態】
【００１５】
以下、本発明の好ましい実施形態を添付図面に基づいてより詳細に説明する。
【００１６】
図１乃至図８は、本発明の好ましい形態を示した例示図であり、本発明の一実施形態に係るゴルフスイング分析器は、図１乃至図７に示すように、本体１０と、装着部２０と、複数の発光素子３０と、発光基板４０と、重量体５０と、リードスイッチ６０と、加速感知基板７０と、弾性部材８０と、基準発光素子９０と、基準発光基板１００及び作動ボタン１１０を含んで構成される。
【００１７】
本体１０は、水平部１２と垂直部１４で構成される「Ｔ」形状で形成され、前記水平部１２及び垂直部１４の内部は空いた空間で形成して本発明をなす構成要素が備えられるための設置空間が構成される。
【００１８】
前記装着部２０は、前記本体１０の垂直部１４に一体的に設置される。前記装着部２０は、前記本体１０の垂直部１４に突出する形態で設置される。前記装着部２０は、ゴルフクラブのシャフト４と分離可能に結合するように形成される。前記装着部２０の詳細な形態は、円筒の円周面の一部を切り出す「Ｃ」形状断面を持つ結合溝２４がある形状で形成する。前記のように装着部２０を形成すると、「Ｃ」形状断面が広がりながらゴルフクラブのシャフト４に挿入されて、挿入が行われた後はゴルフクラブのシャフト４の周りを１／２以上弾性を持って密着した状態で覆うようになって離脱し難くなる。
【００１９】
前記装着部２０は、ゴルフクラブのシャフト４に結合した状態で上下に移動しないように摩擦力に優れた材料（例えば、ゴムやシリコンまたは軟質合成樹脂等）を用いて形成することも可能である。尚、前記結合溝２４の内側で複数の突起部２５が形成されてシャフト４の周りを突起部２５で加圧するようにする。さらに、前記結合溝２４の一側に形成される掛け溝２６及び前記結合溝２４の他側に掛け溝２６に引き込まれて結合溝２４を加圧するセミ型蓋止２７が構成される。つまり、突起部２５と共に掛け溝に掛けられるセミ型蓋止２７を介してシャフト４をより安定的に固定できてシャフト４と装着部２０との間の固定力を向上させるように構成される。
【００２０】
発光素子３０は、水平部１２の両側に設置されてゴルフクラブのスイングスピードによって後述される重量体５０とリードスイッチ６０及び加速感知基板７０の作動によって点灯されるように構成されるが、これは後に説明する。さらに、装着部２０をシャフト４に結合する時に前記水平部１２に設置される発光素子３０がゴルフクラブのグリップ側に向かうように方向を定めて結合させる。前記発光素子３０は、前記本体１０の水平部１２両側に配置されて対をなして設置される。前記発光素子３０は、発光される光が外部に照射されるように一部が露出する状態で前記本体１０の水平部１２に設置される。
【００２１】
前記発光基板４０は、前記本体１０の水平部１２の内部の空いた空間に装着される。前記発光基板４０には、前記発光素子３０に電源を供給して点灯の可否を制御する制御回路が設置される。例えば、前記発光基板４０にはバッテリーを設置して自らの電力で発光素子３０の点灯が行われるように構成する。尚、前記水平部１２には前記発光基板４０の制御回路と連結されて前記発光素子３０の明るさを調節するための照度調節スイッチ３８をさらに設置することも可能である。前記照度調節スイッチ３８は、ロータリースイッチ等を利用して構成することが可能である。
【００２２】
前記発光素子３０は、両側に一つずつ配置して設置するのも可能で、２つずつまたは３つ以上ずつを配置して設置することも可能である。例えば、図１及び図２に示すように、前記発光素子３０は、両側に２つずつ配置して設置することも可能である。前記のように発光素子３０を２つ以上ずつ配置して設置する場合には、前記発光基板４０の制御回路を外側は外側同士、内側は内側同士、中間は中間同士に対をなして同時に点灯及び消灯されるように構成する。また、外側と内側同士対をなして同時に点灯及び消灯されるように構成することも可能である。前記発光素子３０は、外側と内側に位置した発光素子３０が互いに異なる色の光を発光するように構成することも可能である。
【００２３】
前記重量体５０は、前記本体１０の垂直部１４の内部の空いた空間に垂直部１４の長さ方向に沿って移動可能に設置される。前記重量体５０は、前記本体１０の垂直部１４の内部の空いた空間に設置される前記弾性部材８０によって水平部１２側にカを加えられる状態で設置される。
前記弾性部材８０として圧縮コイルスプリングを用いることも可能である。
【００２４】
前記リードスイッチ６０は、前記本体１０の垂直部１４の内部の空いた空間に設置されて前記重量体５０の移動位置を感知してオン／オフ作動するように構成する。例えば、前記重量体５０を磁石で構成して、前記リードスイッチ６０を磁気を感知するように構成すると、前記重量体５０が前記リードスイッチ６０に接近するにつれこれを感知してオンと作動するように構成することが可能である。また、前記重量体５０を導電体で構成して、前記リードスイッチ６０を導電体が接近すると通電される方式で構成すると、前記重量体５０が前記リードスイッチ６０に接近するにつれこれを感知してオンと作動するように構成することが可能である。さらに前記リードスイッチ６０をリミットスイッチや近接スイッチで構成して前記重量体５０が移動しながら接触してオンと作動させるように構成することも可能である。
【００２５】
前記加速感知基板７０は、前記リードスイッチ６０が搭載されて、前記リードスイッチ６０の信号を前記発光基板４０に伝達するように回路が構成される。前記において発光素子３０を２つ以上の対で設置して、各対同士順次点灯するように構成する場合には前記リードスイッチ６０を前記発光素子３０の対の数に合わせて設置することも可能である。例えば、前記リードスイッチ６０は、前記水平部１２に近接した側から間隔を置いて複数設置して、最も水平部１２に近接した側のリードスイッチ６０の信号を最も外側に位置する対の発光素子３０を点灯させるように前記発光基板４０の制御回路と前記加速感知基板７０の回路を構成することも可能である。前記のように構成すると、前記重量体５０が水平部１２に近接した状態から遠ざかる状態に移動するにつれ前記発光素子３０は外側から内側に順次点灯が行われるようになる。前記において重量体５０の移動は、ゴルフクラブの回転による遠心力によるものであるため、重量体５０が水平部１２から遠ざかることは、それだけゴルフクラブの回転速度が加速されることを意味するので、前記発光素子３０のどの対が点灯されたか否かを確認することによってスイングスピードを確認して分析することが可能である。
【００２６】
基準発光素子９０は、前記垂直部１４の下部内側に配置されて発光される光が外部に照射されてゴルフクラブのシャフト４に装着部２０を結合する時の位置と方向を正確に捉えるために構成される。
【００２７】
基準発光基板１００は、前記基準発光素子９０に電源を供給して点灯の可否を制御する制御回路が設置される。
【００２８】
作動ボタン１１０は、前記水平部１２の下部一側にボタン形式で設置されて押した時電気信号を基準発光基板１００に伝達して基準発光素子９０を点灯するように構成される。図面で図示していないが、作動ボタン１１０と基準発光基板１００は、電線または別途の基板を介して電気的に連結されている。つまり、作動ボタン１１０を押していると基準発光基板１００が基準発光素子９０に電源を供給して基準発光素子９０が発光されて、基準発光素子９０から発光される光でゴルフクラブのシャフト４に装着部２０を結合する時の位置と方向を正確に計るように構成される。従って、ユーザーがゴルフクラブをスイングするに伴い重量体５０が遠心力によって移動してリードスイッチ６０を作動させて水平部１２の両側に配置されて設置された発光素子４０が発光するので、発光された光の軌道がスイング軌道を形成して容易にスイング軌道を確認して分析してゴルフスイング姿勢を矯正したりインパクト位置を正確で効果的に矯正できる効果がある。
【００２９】
一方、ゴルフクラブのヘッド６には一の字状の複数の中心線６ｈが形成される。また、前記垂直部１４の下部面に基準発光素子９０から発光される光が一の字状で透視されてゴルフクラブのヘッド６に形成された中心線６ｈと一致させるようにする透視板９１が一方向に延びて構成される。つまり、作動ボタン１１０によって作動する基準発光素子９０から発光される光が透視板９１を介してゴルフクラブのヘッド６に形成された中心線６ｈに合わせて装着部２０をシャフトの所望の位置に装着させて使いやすくする効果がある。
【００３０】
一方、前記垂直部１４には、弾性部材８０が重量体５０に加える弾性力を調節するための弾性調節部材１２０をさらに設置されてもよい。前記弾性調節部材１２０は、垂直部の下部に締結されて外側にねじ山が形成される調節ねじ１２２が含まれて構成される。また、弾性調節部材１２０は、前記調節ねじ１２２に形成されるねじ山と歯合されるねじ山が形成されて調節ねじ１２２の回転方向に応じて上、下に移動して弾性部材８０と重量体５０の距離を短縮または延長させて重量体５０に作用する弾性力を調節する移動部材１２４が含まれて構成される。また、弾性調節部材１２０は、前記調節ねじ１２２の下側を収容すると共に垂直部１４の外部に露出して調節ねじ１２２を正、逆方向に回転させる調節ノブ１２６が含まれて構成される。
【００３１】
尚、調節ノブ１２６は、前記調節ねじ１２２の露出した端部に一体的に固定設置されて、前記調節ねじ１２６は、前記調節ノブ１２６を回転させるにつれその場の位置で回転するように設置されて、前述した通り前記移動部材１２４は、前記調節ねじ１２２とねじ結合されて前記調節ねじ１２２が回転するにつれねじ山に沿って上下に移動するように構成される。調節ねじ１２２には前記垂直部１４から離脱しないように鍔を形成して、前記調節ノブ１２６と鍔によって前記垂直部１４にその場の位置回転が可能に設置される。
【００３２】
また、弾性調節部材１２０は、前記移動部材１２４が移動する垂直部１４方向で外部から透視可能な材質からなり、移動部材の位置を計れるように目盛り部（ｍ）が形成される透視部１２８が含まれて構成される。また、弾性調節部材１２０は、前記移動部材１２４の一側に付着して別の色が表出される識別部１２９が含まれて構成される。前記識別部１２９は、既に通用するステッカーまたは別途の塗装作業を介して行われてもよい。従って、弾性調節部材１２０は、前記調節ノブ１２６を回転させるにつれ移動部材１２４が上下に移動することになって、前記弾性部材８０と重量体５０との距離を短縮または延長させるので、ユーザーのスイングスピードや体形に合うように重量体５０に作用する弾性力を調節することが可能で、また、識別部１２９を介して弾性部材８０と重量体５０の距離をより正確に調節することができるようにする効果がある。
【００３３】
次に、前記のように構成される本発明の一実施形態に係るゴルフスイング分析器の使用方法を説明する。
【００３４】
まず、ゴルフクラブのシャフト４に前記装着部２０を結合させることで装着する。この時、ゴルフクラブのヘッド６に形成された中心線６ｈに基準発光素子９０から発光される光が一の字状に重なるように装着する。前記のように装着した状態でゴルフクラブを使ってスイング動作をとると、図９に示したようなスイング軌道を描くようになる。
【００３５】
図９において、「Ｂ」で示した曲線は、図１において右側に位置する発光素子３０の光の軌道を示し、「Ａ」で示した曲線は、図１において左側に位置する発光素子３０の光の軌道を示した。前記「Ａ」及び「Ｂ」の軌道において、点線で示した部分は図１において右側と左側それぞれ外側１つの発光素子３０だけが点灯された状態を示し、実線で示した部分は図１において右側と左側それぞれ２つの発光素子３０が共に点灯された状態を示した。つまり、ゴルフクラブのスイングが進行されるにつれ前記重量体５０が遠心力によって移動して初めは１つのリードスイッチ６０だけオンと作動させたが、スイングスピードが加速されるにつれ後には２つのリードスイッチ６０を共にオンと作動させるようになることを示した。前記のようにいくつの発光素子３０が点灯されたかを確認して、加速地点を分析することが可能で、スイングスピードを確認することが可能である。
【００３６】
さらに発光素子３０の色を異なるように構成する場合には、どの色の発光素子３０が点灯されたかを確認して加速地点を分析することができる。前記で発光素子３０の色を異なるように構成する場合には、前記発光基板４０の制御回路を前記重量体５０の移動によりいずれか一つの色の発光素子３０だけ発光するように構成することも可能である。この場合には、容易に発光される光の色が変わる地点を加速地点と分析できるため、便利である。尚、発光素子３０による光の軌道でスイング軌道を確認することが可能であるため、スイング軌道の分析が非常に容易に行われる。前記発光素子３０による光の軌道は、カメラを利用して連続露出で撮影して得ることも可能で、動画で撮影して分析することも可能である。
【００３７】
尚、ゴルフクラブのスイングを正確に行う場合には、ボールが位置した地点でゴルフクラブのヘッド６がスイング方向と直角の状態で位置するようになる。
【００３８】
例えば、図９及び図１０に示すように、「Ａ」の軌道と「Ｂ」の軌道がボールが位置した地点（ボールが打撃される地点）で交差しながら「Ｘ」形状をなすようになる。図９乃至図１２において、「Ｘ」で示した地点は、インパクト地点（Ｐ）であって、正常なスイングを行った場合にボールが打撃されなければならない地点を示した。仮にスイング姿勢があらかじめ開かれてインパクト地点（Ｐ）の前にボールが打撃されると、図１１に示したように、ボールが右側に曲がるゴルフ用語で「スライス」になる。一方、スイング姿勢が非常に遅く開かれてインパクト地点（Ｐ）以後にボールが打撃されると、図１２に示したように、ボールが左側に曲がるゴルフ用語で「フック」になる。
【００３９】
前記でスイングが終了すると、前記重量体５０は、弾性部材８０の弾性力によって水平部１２側に移動することになり、リードスイッチ６０は、全てオフに作動して前記発光素子３０は消灯となる。従って、スイングする時にだけ自動で発光素子３０の点灯が行われ、スイングしない時には発光素子３０が消灯された状態が維持されるので、バッテリーの消耗を最小化することが可能で、別途の電源遮断装置を設置する必要もない。
【符号の説明】
【００４０】
１０・・・本体
１２・・・水平部
１４・・・垂直部
２０・・・装着部
２４・・・結合溝
２５・・・突起部
２６・・・掛け溝
２７・・・セミ型蓋止
３０・・・発光素子
３８・・・照度調節スイッチ
４０・・・発光基板
５０・・・重量体
６０・・・リードスイッチ
７０・・・加速感知基板
８０・・・弾性部材
９０・・・基準発光素子
９１・・・透視板
１００・・・基準発光基板
１１０・・・作動ボタン
１２０・・・弾性調節部材
１２２・・・調節ねじ
１２４・・・移動部材
１２６・・・調節ノブ
１２８・・・透視部
１２９・・・識別部
【図１】
2020039843.tif 000003
【図２】
2020039843.tif 000004
【図３】
2020039843.tif 000005
【図４】
2020039843.tif 000006
【図５】
2020039843.tif 000007
【図６】
2020039843.tif 000008
【図７】
2020039843.tif 000009
【図８】
2020039843.tif 000010
【図９】
2020039843.tif 000011
【図１０】
2020039843.tif 000012
【図１１】
2020039843.tif 000013
【図１２】
2020039843.tif 000014